(57)【要約】 【課題】  広告板部を裏側の支持板部を起こして自立させ、倒して折り畳みできる。【解決手段】  広告板部１と、該広告板部の裏面上部に固定され、折り目で折曲げ可能な上板部５と、該広告板部の裏面下端に固定され、折り目で折曲げ可能な底板部８と、該広告板部の裏面に縦方向に起立可能とする第１の折り目１３を有し、かつ上部が上板部に、下部が底板部に固定された支持板部１０とを備え、前記支持板部の非起立時には支持板部は広告板部の裏面に重なり合い、かつ、支持板部を起立させて、上板部および底板部が広告板部の裏面側に起立し、支持板部は、下部に第１の折り目１３とのなす角度が９０度以内となるように形成されるとともに、起立時に底板部と接触可能な第２の折り目１５と、支持板部の非起立時に支持板部を広告板部の裏面に重なり合わせるための第３の折り目１６とを備える。【選択図】    図２
2005107016.tif 000002
【特許請求の範囲】
【請求項１】
板材からなる広告板部と、該広告板部の上部部分により形成されもしくは該広告板部の裏面上部に固定され、折り目を介して前記広告板部の裏面側に折れ曲がり可能な上板部と、前記広告板部の下部部分により形成されもしくは該広告板部の裏面下端に固定され、折り目を介して前記広告板部の裏面側に折れ曲がり可能な底板部と、該広告板部の裏面に上下方向に延びるように固定されるとともに前記広告板部の上下方向に起立可能とする第１の折り目を有し、かつ上部が前記上板部に固定され、下部が前記底板部に固定された支持板部とを備え、前記支持板部の非起立時には該支持板部は前記広告板部の裏面に重なり合い、かつ、該支持板部を起立させることにより、前記上板部および前記底板部が前記広告板部の裏面側に起立し自立可能な広告体であって、
前記支持板部は、下部に前記第１の折り目とのなす角度が９０度以内となるように形成されるとともに、起立時に折れ曲がり起立した前記底板部と接触可能な第２の折り目と、該支持板部の非起立時に折れ曲がり該支持板部を前記広告板部の裏面に重なり合わせるための第３の折り目とを備えることを特徴とする自立可能な広告体。
【請求項２】
第１の折り目と前記第２の折り目とがなす角度θ1は、７０度〜９０度で、かつ第２折り目と第３折り目とのなす角度θ2は、第１の折り目の延長線である仮想線Ｘと第２の折り目とのなす角度θを２等分する角度である請求項１に記載の自立可能な広告体。
【請求項３】
前記支持板部は、上部に起立時に折れ曲がり前記上板部を起立させる第４の折り目と、該支持板部の非起立時に折れ曲がり前記上板部を該支持板部側に引き倒すための第５の折り目を備えている請求項１又は２に記載の自立可能な広告体。
【請求項４】
前記支持板部は、上部に起立時に折れ曲がり前記上板部を起立させる第４の折り目と、該支持板部の非起立時に折れ曲がり前記上板部を非支持板部部側に押し倒すための第５の折り目を備えている請求項１又は２に記載の自立可能な広告体。
【請求項５】
前記広告体は、前記支持板部の上部前端に上板部の折り目と第１の折り目の交点を基点とし広告板部に対する角度θ3の傾斜線上に設けられた切り抜き孔と、該切り抜き孔より支持板部の後端まで延びる第４の折り目とを有し、さらに該第４の折り目と前記第５の折り目との間を上部支え部としたものである請求項３又は４記載の自立可能な広告体。
【請求項６】
前記広告体は、前記支持板部を２つ備えているものである請求項１ないし５のいずれかに記載の自立可能な広告体。
【請求項７】
前記広告体は、該支持板部の非起立状態において、該広告体の折り畳みを可能とする折り目を備えている請求項１ないし６のいずれかに記載の自立可能な広告体。
【請求項８】
前記支持板部は、上部に比べて下部が幅広となっている請求項１ないし７のいずれかに記載の自立可能な広告体。
【発明の詳細な説明】
【技術分野】
【０００１】
この発明は、店頭、ショウルーム、展示会会場等適宜の展示場所等に立てる自立可能な広告体に関する。
【背景技術】
【０００２】
従来、スタンド式ディスプレイ装置として、表示板と該表示板を裏側より支持する支持体とを具備し、支持体は表示板を支持する際、角筒状に折られるものがある。（特許文献１参照）。また、広告表示装置として、折り畳み自在な広告表示板の裏側に添設される角柱を組み立て自在に構成し、これを脚部固定板で保形できる如く構成するとともに、角柱に対して直角方向に突出する底板を広告表示板の下方に折り畳み自在に設け、かつ角柱を形成する組立構成部材を箱形組立構成部材に組み替えて組立てられる箱内に広告表示板を脚部固定板等の附属部材とともに折り畳み縮小して収納できる如く構成された、箱形折り畳み状態から立体姿勢に組立られるものがある。（特許文献２参照）。
【０００３】
【特許文献１】特開２００１−２９０４２４公報（図１）
【特許文献２】特開平８−２９２７２１号公報（図１）
【発明の開示】
【発明が解決しようとする課題】
【０００４】
特許文献１のスタンド式ディスプレイ装置は、折り曲げが複雑で組立に手間がかかり、かつ一対の組込片を互いに交差させ係止しなければならず、また、別体の繋止板、固定板等が必要である。また、特許文献２の広告表示装置も構成が複雑で、折り曲げが複雑で組立に手間がかかる問題がある。
【０００５】
この発明は、このような問題点を解消するために、広告、宣伝、案内等の表示面としうる広告板部を裏側の支持板部を起こすだけのワンタッチ操作で自立させることができる自立可能な広告体を提供することを目的とする。また、広告板部と支板部を組み立てるときはワンタッチで自立でき、収納時にはコンパクトに折り畳み可能とした自立可能な広告体を提供することを目的とする。
【課題を解決するための手段】
【０００６】
この発明の請求項１の自立可能な広告体は、板材からなる広告板部と、該広告板部の上部部分により形成されもしくは該広告板部の裏面上部に固定され、折り目を介して前記広告板部の裏面側に折れ曲がり可能な上板部と、前記広告板部の下部部分により形成されもしくは該広告板部の裏面下端に固定され、折り目を介して前記広告板部の裏面側に折れ曲がり可能な底板部と、該広告板部の裏面に上下方向に延びるように固定されるとともに前記広告板部の上下方向に起立可能とする第１の折り目を有し、かつ上部が前記上板部に固定され、下部が前記底板部に固定された支持板部とを備え、前記支持板部の非起立時には該支持板部は前記広告板部の裏面に重なり合い、かつ、該支持板部を起立させることにより、前記上板部および前記底板部が前記広告板部の裏面側に起立し自立可能な広告体であって、
前記支持板部は、下部に前記第１の折り目とのなす角度が９０度以内となるように形成されるとともに、起立時に折れ曲がり起立した前記底板部と接触可能な第２の折り目と、該支持板部の非起立時に折れ曲がり該支持板部を前記広告板部の裏面に重なり合わせるための第３の折り目とを備えることを特徴とする。
【０００７】
請求項２の発明は、請求項１において、第１の折り目と前記第２の折り目とがなす角度θ1は、７０度〜９０度で、かつ第２折り目と第３折り目とのなす角度θ2は、第１の折り目の延長線である仮想線Ｘと第２の折り目とのなす角度θを２等分する角度である。
【０００８】
請求項３の発明は、請求項１又は２において、前記支持板部は、上部に起立時に折れ曲がり前記上板部を起立させる第４の折り目と、該支持板部の非起立時に折れ曲がり前記上板部を該支持板部側に引き倒すための第５の折り目を備えている。
請求項４の発明は、請求項１又は２において、前記支持板部は、上部に起立時に折れ曲がり前記上板部を起立させる第４の折り目と、該支持板部の非起立時に折れ曲がり前記上板部を非支持板部部側に押し倒すための第５の折り目を備えている。
請求項５の発明は、請求項３又は４において、前記広告体は、前記支持板部の上部前端に上板部の折り目と第１の折り目の交点を基点とし広告板部に対する角度θ3の傾斜線上に設けられた切り抜き孔と、該切り抜き孔より支持板部の後端まで延びる第４の折り目とを有し、さらに該第４の折り目と前記第５の折り目との間を上部支え部としたものである。
【０００９】
請求項６の発明は、請求項１ないし５のいずれかにおいて、前記広告体は、前記支持板部を２つ備えているものである。
請求項７の発明は、請求項１ないし６のいずれかにおいて、前記広告体は、該支持板部の非起立状態において、該広告体の折り畳みを可能とする折り目を備えている。
請求項８の発明は、請求項１ないし７のいずれかにおいて、前記広告板部は、上部に比べて下部が幅広となっている。
【発明の効果】
【００１０】
この発明によれば、板紙製板体からなる広告板部を裏側で支持する支持板部を起立させると、折り畳まれた上板部と底板部が広告板部に対して起こされ支持板部が広告板部の裏面の上板部と底板部間の突っかいとして立てられ、ワンタッチで広告体を自立させることができる。
自立可能な広告体を折り畳む時は、支持板部を一側に倒すことにより、支持板部の下部が展開されて、底板部を倒して広告板部と真っ直ぐにするとともに上板部を引き倒して折り畳むことができる。
起立時に折れ曲がり起立した前記底板部と接触可能な第２の折り目と、該支持板部の非起立時に折れ曲がり該支持板部を前記広告板部の裏面に重なり合わせるための第３の折り目とを備えたので、起立時には底板部を広告板部に対して起立させるとともに起立させる支持板部の下部を底板部の裏面に第２折り目を接して起立させ、また折り畳み時には底板部を展開して広告板部と真っ直ぐにするとともに広告板部に倒す支持板部の下部を底板部の裏面に重ね合わせて折り畳みできる。
従って、この発明によれば、広告、宣伝、案内等の表示面としうる広告板部を裏側の支持板部を起立又は倒すだけのワンタッチ操作で自立又は折り畳みできるので、便利である。
【００１１】
この発明は、第１の折り目と前記第２の折り目とがなす角度θ1は、７０度〜９０度で、かつ第２折り目と第３折り目とのなす角度θ2は、第１の折り目の延長線である仮想線Ｘと第２の折り目とのなす角度θを２等分する角度として、支持板部を底板部に垂直に立てることができ、また、支持板部を倒すとき、底板部を展開するとともに下部を底板部に重ねて畳むことができる。
【００１２】
この発明によれば、前記支持板部は、上部に起立時に折れ曲がり前記上板部を起立させる第４の折り目と、該支持板部の非起立時に折れ曲がり前記上板部を該支持板部側に引き倒すための第５の折り目を備えることにより、支持板部の起立時には第４の折り目と第５の折り目間の上部支え部を起立させて支持板部を直線状として上板部を支持でき、支持板部の非起立時には上部支え部を第４の折り目で折曲げるとともに第５の折り目で上板部を引き倒して、上部支え部と上板部を重ね合わせて折り畳みできる。
【００１３】
この発明によれば、前記支持板部は、上部に起立時に折れ曲がり前記上板部を起立させる第４の折り目と、該支持板部の非起立時に折れ曲がり前記上板部を非支持板部部側に押し倒すための第５の折り目を備えることにより、支持板部の起立時には支持板部の第４の折り目と第５の折り目間の上部支え部を起立させて支持板部を直線状として上板部を支持でき、支持板部の非起立時には上部支え部を第４の折り目で折曲げるとともに第５の折り目で上板部を押し倒して、上部支え部と上板部を重ね合わせて折り畳みできる。
【００１４】
この発明によれば、前記支持板部の上部前端に上板部の折り目と第１の折り目の交点を基点とし広告板部に対する角度θ3の傾斜線上に設けられた切り抜き孔と、該切り抜き孔より支持板部の後端まで延びる第４の折り目とを有し、該第４の折り目と前記第５の折り目との間を上部支え部としたので、支持板部の起立時には上部支え部を起こして支持板部と直線状に起立させることができ、支持板部の非起立時には、上部支え部を折り目で折り畳んで倒すことができる。
【００１５】
この発明によれば、前記広告体は、前記支持板部を２つ備えたので、両側の支持板部を起立させるだけで、広告板部を簡単かつ堅牢に自立させる。また、前記広告体は、該支持板部の非起立状態において、該広告体の折り畳みを可能としたので、広告板部と裏側の支持板部をコンパクトに折り畳みできる。
さらに、この発明によれば、前記支持板部は、上部に比べて下部が幅広となっているので、広告板部を傾けて安定して立てることができる。
【発明を実施するための最良の形態】
【００１６】
この発明の自立可能な広告体としては、板材からなる広告板部１と、該広告板部１の上部部分により形成されもしくは該広告板部の裏面上部に固定され、折り目を介して前記広告板部の裏面側に折れ曲がり可能な上板部５と、前記広告板部の下部部分により形成されもしくは該広告板部の裏面下端に固定され、折り目を介して前記広告板部の裏面側に折れ曲がり可能な底板部８と、該広告板部の裏面に上下方向に延びるように固定されるとともに前記広告板部の上下方向に起立可能とする第１の折り目１３を有し、かつ上部が前記上板部５に固定され、下部が前記底板部８に固定された支持板部１０とを備え、前記支持板部１０の非起立時には該支持板部１０は前記広告板部の裏面に重なり合い、かつ、該支持板部１０を起立させることにより、前記上板部５および前記底板部８が前記広告板部１の裏面側に起立し自立可能な広告体であって、前記支持板部１０は、下部に前記第１の折り目１３とのなす角度が９０度以内となるように形成されるとともに、起立時に折れ曲がり起立した前記底板部８と接触可能な第２の折り目１５と、該支持板部の非起立時に折れ曲がり該支持板部を前記広告板部の裏面に重なり合わせるための第３の折り目１６とを備える。
前記支持板部１０は、上部に起立時に折れ曲がり前記上板部を起立させる第４の折り目２０と、該支持板部の非起立時に折れ曲がり前記上板部を該支持板部側に引き倒すための第５の折り目２１を備えている。前記広告体は、前記支持板部１０を少なくとも１つ備える。実施形態では支持板部を中央に設ける場合と、両側に設ける場合を示す。
広告板部１は縦長の長方形で、例えば人の背丈の高さの大きさとし、表面を広告、宣伝等の表示面として、その表示面に広告、宣伝、案内等の表示を印刷、写真製版、手書きするか、或いは印刷物の貼着、コーティング等により構成する。
上記構成として、板紙製板体からなる広告板部を裏側で支持する支持板部を起立させると、折り畳まれた上板部と底板部が広告板に対して起こされ支持板部が広告板部の裏面の上板部と底板部間の突っかいとして立てられ、ワンタッチで広告体を自立させることができ、また、自立可能な広告体を折り畳む時は、逆に支持板部を一側に倒すことにより、支持板部の下部が展開されて、底板部を広告板部に沿って倒すとともに上板部を引き倒して折り畳むことができる。
【００１７】
この発明の自立可能な広告体の実施形態を図面に基づいて説明する。図１乃至図１２はこの発明の支持板が中央の場合の自立可能な広告体を示すもので、図１は同正面側の斜視図、図２は同裏面側の斜視図、図３は同背面図、図４は同側面図、図５は底板部を伸ばした状態の背面図、図６は底板部を折り曲げた状態の断面図、図７は上板部と支持板部の上部を示す拡大側面図、図８は支持板部の上部と上板部を折り畳んだ状態の背面図、図９は支持板部を折り畳み、広告板部を展開して示す正面図、図１０は同背面図、図１１は同側面図、図１２は同広告体を折り畳んだ側面図である。
【００１８】
図１乃至図１２に示す実施形態では、１は板紙、ダンボール紙製等板体からなる長方形の広告板部で、支持板部１０の非起立状態において、該広告体の折り畳みを可能とする折り目２を備えている。実施形態では、広告板部１の長手方向の離間した２箇所に長手方向に対してほぼ直交するように折り目２が設けられて、上下の板体１ａ、１ｃを中央の板体１ｂに対して表側と裏側に折り畳みコンパクトにでき、この上下の板体を広げて縦長の広告板部とするようにしてある。広告板部１は上部を円弧状とした縦長の長方形で、例えば人の背丈の高さの大きさとし、表面を広告、宣伝等の表示面として、その表示面に広告、宣伝、案内等の表示を印刷、写真製版、手書きするか、或いは印刷物の貼着、コーティング等により構成する。広告板部１は縦長の長方形状としたが、これに限られるものではなく、例えば、人の形、各種キャラクターの形にかたどったものなど、適宜の形状とできる。なお、広告板部１は縦に長いので、２枚の四角形の板紙を端部１ｄ同士を合わせて、その両端合わせ部の裏面に板紙、ダンボール紙製等板材３を貼着して１枚の長方形の板紙としてあるが、これに限るものではなく、全体を１枚或いは複数枚を結合して１枚としてもよい。
【００１９】
５はダンボール紙製等板体からなる上板部で、該広告板部１の上部部分により形成されもしくは該広告板部の裏面上部に固定され、折り目６を介して前記広告板部の裏面側に折れ曲がり可能に設けられる。実施形態の上板部５は広告板部１と略同じ横幅で広告板部１の裏面に上板部の貼着部７が広告板部１の裏面上部の長手方向に直交する方向として接着剤で貼着され、上板部５が広告板部１に対して折り目６で起立又は折り曲げて倒すことが可能に設けられる。この上板部５は端面を円弧状としてある。
８は底板部で、前記広告板部の下部部分により形成されもしくは該広告板部の裏面下端に固定され、折り目９を介して前記広告板部の裏面側に折れ曲がり可能に設けられる。底板部８はほぼ長方形とし、上板部５より面積を大きくして安定して置くことができるようにしてある。
【００２０】
１０は該広告板部１を裏側で支持する板紙、ダンボール製等板体からなる支持板部で、上部に折り目２１を介して上板部５に貼着する貼着部１１と、下部に折り目１６を介して底板部８に貼着する貼着部１２と、該広告板部の裏面に上下方向に延びるように固定されるとともに前記広告板部の上下方向に起立可能とする第１の折り目１３を介して上板部５と底板部８とを広告板部１の裏面に起立させて突っかいとする縦の支え板１４が設けられる。前記支持板部１０には、下部に前記第１の折り目１３とのなす角度が９０度以内となるように形成されるとともに、起立時に折れ曲がり起立した前記底板部８と接触可能な第２の折り目１５と、該支持板部の非起立時に折れ曲がり該支持板部を前記広告板部の裏面に重なり合わせるための第３の折り目１６とが備えられる。
起立時に折れ曲がり起立した前記底板部８と接触可能な第２の折り目１５と、該支持板部１０の非起立時に折れ曲がり該支持板部を前記広告板部の裏面に重なり合わせるための第３の折り目１６とを備えたので、起立時には底板部８を広告板部１に対して起立させるとともに起立させる支持板部１０の下部を底板部８の裏面に第２の折り目１５を接して起立させ、また非起立時には底板部８を展開して広告板部１と真っ直ぐにするとともに広告板部１に倒す支持板部１０の下部を底板部の裏面に重ね合わせ、その後広告板部を折り畳みできる。
【００２１】
板紙、ダンボール製等縦長の支持板部１０は縦の支え板１４と縦の第１の折り目１３を介して広告板部１の裏面の縦方向に貼着する取付け片１７を有し、折り目１３で支え板１４が起立又は左右いずれかに折曲げ可能に設けられている。
前記取付け片１７は広告板部１の上板部５から底板部８までの長さと略同じ長さでかつ細幅とし、広告板部１の裏面中央部に縦方向にして上下両端部が固着され、かつ中央部は固着しないで自由に動きうるように備えられている。実施形態では取付け片１７の上部１７ａ、下部１７ｃは広告板部１の上部１ａと下部１ｃの裏面に接着剤で固着され、取付け片１７の中間部１７ｂは接着しないで、自由としてある。取付け片１７の上下部を固着し、中間部を自由としたのは、広告板部１を折り目で折り曲げるときに裏面の支持板部と取付け片の折り目がずれて折曲げ可能とするためである。支え板１４と取付け片１７には広告板部の折り目に対応して折り目２４が設けられる。図に示すように広告板部１と、裏側の支持板部１０、取付け片１７を扁平に折り畳むには、外側と内側で折り目の位置にずれができるので、支持板部、取付け片の折り目２４の位置を広告板部の折り目と予めずらせて設けてある。支持板部１０の縦の支え板１４、取付け片１７も広告板と同様に長いので、２枚の板紙を接着剤で繋ぎ合わせてある。これも全体を１枚、或いは複数枚を結合して１枚として設けることもできる。
【００２２】
図２、図３ないし図６において、支持板部１０の下部の構造について説明する。
前記支持板部１０には、縦の支え板１４の下部に第２の折り目１５が取付け片１７の第１の折り目１３との角度θ1が７０度〜９０度の位置に設けられ、その折り目２に対して角度θ2の第３の折り目１６とにより底板部８に重ねうる下部板１８が備えられる。第１の折り目１３と第２の折り目１５のなす角度θ1は７０〜９０度として広告板部１を若干傾斜状に立てるようにする。下部板１８として、実施形態では外面を円弧状とした扇型下部板１８が連結され、該扇型下部板１８は縦の支え板１４に対して９０度以内の角度に折り曲げ可能とするとともに底板部８を広告板部１に対して略直角に折曲げ可能とする。その扇型下部板１８の折り目１６を介して端部には底板部８に固着する貼着部１２が設けられる。
前記第２の折り目１５と第３の折り目１６とのなす角度θ2は、第２の折り目１５と第１の折り目１３の延長線である仮想線Ｘとのなす角度θを２等分する角度とする。第２の折り目１５と仮想線Ｘとのなす角度θは約８０乃至１２０度として、その角度を２等分した角度θ2は約４０度乃至６０度としてある。前記仮想線Ｘは第１の折り目１３の延長線であって、底板部の折り目８に対して直交する線であり、支持板部１０を立てるとき支え板１４の下面が底板部の仮想線Ｘ上に合致して当接する。支え板１４を広告板部の中央にする場合は広告板部１の中心線に相当する。支持板部１０の下端に設けた扇型下部板１８は底板部８に貼着部１２で固着することにより、第３の折り目１６を中心として９０度反転可能に設けられる。
前記第１の折り目１３と前記第２の折り目１５とのなす角度θ1と、前記第２の折り目１５と前記第３の折り目１６とのなす角度θ2を２倍した２θ2との和が１６０度〜２００度である。
好ましくは、前記第１の折り目１３と前記第２の折り目１５とのなす角度θ１と、前記第２の折り目と前記第３の折り目とのなす角度θ2を２倍した２θ2との和が約１８０度である。図では、θ1は約８０度、θ2は約５０度としてθを約１８０度としてある。
【００２３】
該扇型下部板１８は、広告板部１の折り目９と前記第１の折り目１３との交点Ａを中心とする折り目（ＡＢ）の半径で、外面が円弧状で、第２の折り目１５と、該折り目１５に対する角度θ2を約５０度とした第３の折り目１６とで扇型に形成され、該折り目１６の側端に貼着部１２が設けられ、この扇型下部板１８は支持板部１０を倒す側で貼着部１２が底板部８に貼着される。すなわち、扇型下部板１８は貼着部１２が底板部８の裏面に接着剤で固着され、貼着部１２を第３の折り目１６を中心として９０度反転可能に設けられる。該扇型下部板１８の基端には隅角部に切り抜き孔１９が設けられ、折り曲げやすくしてある。切り抜き孔１９は円弧状に形成してあるが、これに限るものではない。
而して、支持板部１０を広告板部１に対して起すと、扇型下部板１８が第３の折り目１６を基点として転回して起き上がるとともに扇型下部板１８に固着した底板部８が持ち上げられ、底板部８が広告板部１に対して折り目９で略直角に折り曲げられて起立するとともに底板部８の上面の仮想線Ｘの位置に支持板部１０の支え板１４と扇型下部板１８との第２の折り目１５が合致して当接される。上板と底板間に縦の支え板１４を立てることにより上板部と底板部はほぼ平行に保持できる。
【００２４】
図２、図７及び図８において、支持板部１０の上部の構造について説明する。
前記支持板部１０は、上部に起立時に折れ曲がり前記上板部を起立させる第４の折り目２０と、該支持板部の非起立時に折れ曲がり前記上板部を該支持板部側に引き倒すための第５の折り目２１を備える。
前記広告体は、前記支持板部１０の支え板１４の上部前端に上板部５の折り目６と第１の折り目１３の交点を基点とし広告板部１に対する角度θ3の傾斜線上に設けられた切り抜き孔２３と、該切り抜き孔より支持板部の後端まで延びる第４の折り目２０（ＤＥ）とを有し、該第４の折り目２０（ＤＥ）と、前記第５の折り目２１（ＦＪ）、切り抜き孔２３の縦線（ＤＦ）と、支持板部１０の後端（ＥＪ）とにより上部支え部（起倒部）２２が形成される。この上部支え部２２は該折り目２０と上端の第５の折り目２１とにより支持板部と直線状に起立又は横方向に折曲げ可能とされる。上部支え部（起倒部）は起立又は倒すことができる部分を言う。この角度θ3は広告板部１或いは支持板部の第１の折り目１３に対する角度で、約４０度〜６０度とする。実施形態では、上部支え部２２の横幅は、切り抜き孔２３の横幅より広く、広告板部１に対する第４の折り目２０の角度θ3は約５０度としてある。実施形態では、支え部２２の横幅は切り抜き孔２３の横幅の約１．５倍としてある。広告板部１或いは縦の支え板の前端の折り目１３は若干傾斜しているので、角度θ3は約５０度以上としてある。この第４の折り目２０の角度θ3は前記第３の折り目１６の角度θ2と略同じとしてある。
【００２５】
上部支え部２２の前端の隅角に設ける切り抜き孔２３は、上板部５の折り目６を基点とし広告板部１に対する角度θ3の傾斜線と上板を結ぶ線（ＤＦ）、傾斜線と広告板を結ぶ線（ＤＨ）、そして上板の線（ＦＧ）、貼着部７の線（ＨＧ）とにより略四角形に設けられる。この傾斜線（ＧＤ）は略四角形の対角線となる。ＤＦは上板部に対して略直角、ＤＨは広告板部に対して略直角とする。そして、支持板部１０の上部にはその傾斜線上で切り抜き孔２３のＤＦとＤＨの交点Ｄと支持板部１０の後端の点Ｅとを結ぶ第４の折り目２０が設けられている。切り抜き孔２３を設けたのは、上部支え部２２を折り目２０で折り畳みやすくするためである。前記実施形態では、支持板部１０上部前端に切り抜き孔２３を設けたが、これに限られるものではなく、支え板１４の上部支え部２２の前端は第１の折り目１３で折り曲げ、第４の折り目、第５の折り目で折り曲げるようにもできる。
第５の折り目２１（ＦＪ）は、上部支え部２２を上板部５に対して起立又は引き倒すための折り目で、上部支え部２２の起立時、広告板部１に対して折り目６で約９０度折曲げた上板部５にその折り目６に対して直交する方向となり、上部支え部２２の非起立時には、上板部５の下面で第１の折り目１３と同じ方向となる。実施形態では、上部支え部２２の非起立時、第５の折り目２１は第１の折り目１３に略合致する位置となる。上部支え部２２には第５の折り目２１を介して上板部５の下面に貼着する貼着部１１が設けられる。
支持板部１０の上部支え部２２の上部の貼着部１１は、上板部５の下面に対して支え板を倒す側（左側）とは反対側（右側）において接着材で固着され、上板部５に対して貼着部１１の第５の折り目２１より折曲げ可能として、支持板部１０を起立して上板部を広告板部の裏面に略直角とし、又は支持板部を横方向（左側）に倒すことにより上部支え部２２が右側に折曲げられて上板部５が下方へ引き倒されて広告板部に重ね合わせるようにする。
【００２６】
第４の折り目２０の角度θ3は約５０度としたので、左側に倒した支持板部１０を折り目１３を基点として立ち上げると、縦の支え板１４に連結した上部支え部２２が起きあがり、支持板部１０を取付け片１７に対して第１の折り目で１３で折り曲げて直立させると、縦の支え板１４と上部支え部２２とが一直線状に真っ直ぐとなり、この上部支え部２２の起きあがりに伴って上端に貼着された上板部５が上方へ起き上がって広告板部１に対して略直角にあげられる。また、支持板部１０を第１の折り目１３で横方向（左側）に倒すと、上部支え部２２が第４の折り目２０で右側に折り曲げられるとともに上板部５が下方へ引き倒されて折り畳まれる。このとき、上部支え部２２は上板部５に対して横方向に折り畳まれる。
すなわち、支持板部１０を一側（左側）に倒すとき、倒れた支持板の上面で上部支え部２２がくの字に折り畳まれ、それに伴い上板部５が折り目２１で下方へ引き倒されて上部支え部２２の上に上板部５が重ねられ、広告板部１に沿わせて扁平に折り畳みできる。
【００２７】
支持板部１０の上部支え部２２の貼着部１１は支持板部の一側（例えば右側）で上板部の下面に貼着し、かつ扇型下部板の貼着部１２は支持板部の他側（例えば左側）で底板部８に固着され、支持板部１０を起こすと上部支え部２２は第４の折り目２０で立ち上がって真っ直ぐとなるとともに扇型下部板１８は第３の折り目１６を基点として転回して扇型下部板１８が底板部８とともに折り曲げられる。
なお、支持板部１０の下部に扇型下部板を設け、上部に起立又は倒す上部支え部を設けた場合を示したが、これに限られるものではなく、板材からなる広告板部と、該広告板部の上部部分により形成されもしくは該広告板部の裏面上部に固定され、折り目を介して前記広告板部の裏面側に折れ曲がり可能な上板部と、前記広告板部の下部部分により形成されもしくは該広告板部の裏面下端に固定され、折り目を介して前記広告板部の裏面側に折れ曲がり可能な底板部とすることができる。すなわち、広告板部を支える支持板部の上部構造を実施形態の下部構造と同様にすることもできる。前記支持板部は、上部に起立時に折れ曲がり前記上板部を起立させる第４の折り目と、該支持板部の非起立時に折れ曲がり前記上板部を非支持板部側に押し倒すための第５の折り目を備えることもできる。
【００２８】
前記支持板部１０の後端は床面に略垂直とし、前端の広告板側を上端より下端まで傾斜させ、上部より下部を幅広として安定して立てるようにしてある。また、前記支持板部１０は、上部に比べて下部が幅広となっている。実施形態では支持板部１０の下部の幅は、底板部８より広くして底板部より後側に突出して設けられている。
そして、前記支持板部１０にも、前記広告板部１の折り畳み用折り目２に対応する複数箇所に長手方向に対してほぼ直交するように形成された折り曲げ可能な折り目２４が設けられて、広告板部１を折り畳む際に裏面の支持板部も折り畳み可能としてある。
【００２９】
而して、折り畳んだ自立可能な広告体を広げて立てる際には、図１２のように折り畳んだ状態の広告板部１の中央部１ｂに対して上部１ａと下部１ｂを折り目より広げて縦長の長方形状とし（図９ないし図１１参照）、しかる後、支持板部１０を取付け片１７との第１の折り目１３で広告板部１に対して直角に折り曲げて起立することにより、図１乃至図８、図１７及び図１８に示すように、下方では支持板部１０とともに下部板（扇型下部板）１８が起こされて支持板部１０に対して略直角に折り曲げられるとともにそれに固着した底板部８が持ち上げられて広告板部１に対して略直角に折曲げられるとともに底板部の上面に扇型下部板１８が当接され、かつ、上方では第４の折り目２０より上部支え部２２が立ち上がって支持板部１０が真っ直ぐにされるとともに上板部５が支え部２２の立ち上がりにより折り目６を基点として押し上げられて広告板部１に対して略直角に起こされて広告体が自立可能に組み立てられる。
立てた広告板部１を折り畳む場合について説明すると、図９乃至図１２に示すように、支持板部１０を広告板部１の裏面の取付け片１７に対して第１の折り目１３より横方向に倒すことにより、上部支え部２２が第４の折り目２０で折り畳まれかつそれに固着されている上板部５が折り目６で折り畳まれて広告板部１に重ねられる、かつ扇型下部板１８が第３の折り目１６を基点として反転されて支持板部１０に対して真っ直ぐに展開され、底板部８が支持板部１０の支え板１４に対して真っ直ぐとなり、しかる後、図１２に示すように、広告板部１の上部１ａは中央部１ｂの前面側に折り畳みかつ下部１ｂは中央部１ｂの裏面側に折り畳んでコンパクトにすることができる。
【００３０】
図１３乃至図２０に示す別の実施形態は支持板を両側に対称に設けた自立可能な広告体で、図１３は同正面側の斜視図、図１４は同裏面側の斜視図、図１５は同背面図、図１６は同縦断面図、図１７は底板部を折り曲げる状態を示す斜視図、図１８は支持板部の上部を起立させる状態を示す斜視図、図１９は支持板部を折り畳み広告板部を展開した状態の背面図、図２０は同広告体を折り畳んだ側面図である。
【００３１】
図１３乃至図２０に示す実施形態では、広告板部、上板部、底板部は前記の構造と同じで、異なるのは支持板部１０が両側に対称に設けられていることである。
この実施形態の広告体は、前記支持板部１０を２つ備えているものである。また、この上板部５は台形状として、後端中央部に凹部５ａが形成されている点が前記実施形態と異なる。上板部の形状はこれに限られるものではなく、適宜形状とできる。
一対の支持板部１０は広告板部１の両側に第１の折り目１３で広告板部の中心側に倒して向かい合わせて倒しうるように設けられる。支持板部１０の下部の扇型下部板の構造、支持板部１０の支え板１４の上部支え部２２を起立又は折曲げ可能とする構造は前記と同様に設けられる。この実施形態の場合には、支持板部を両側に設けるので、仮想線Ｘは両側の支持板部１０の第１の折り目１３の延長線であって、底板部の折り目８に対して直交する線である。取付け片１７の構造も前記実施形態と同じで、広告板部１の背面に両側に合わせて設けられている。
この実施形態では、一対の支持板部を広告板部の中心に向けて相対向して倒すようにしたが、これに限られるものではなく、例えば、一対の支持板部を同じ方向に倒すことも可能である。また、広告板部の巾が広いものでは、支持板部は複数箇所に設けることも可能である。
【００３２】
而して、折り畳んだ自立可能な広告体を広げて立てる際には、図２０のように折り畳んだ状態の広告板部１の中央部１ｂに対して上部１ａと下部１ｂを折り目より広げて縦長の長方形状とし（図１９参照）、両側の支持板部１０を裏面の取付け片１７の第１の折り目１３で広告板部１に対して直角に折り曲げて起立することにより、図１３乃至図１８に示すように、下方では支持板部１０とともに扇型下部板１８が起こされて支持板部１０に対して略直角に折り曲げられるとともにそれに固着した底板部８が持ち上げられて広告板部１に対して略直角に折曲げられるとともに底板部８の上面に扇型下部板が当接し、かつ上方では第４の折り目２０より上部支え部２２が立ち上がって支持板部１０が直線状とされるとともに上板部５が上部支え部２２の立ち上がりにより折り目より押し上げられて広告板部１に対して略直角にに起こされて自立可能な広告体が組み立てられ、これを立てて展示できる。
立てた広告板部１を折り畳む場合について説明すると、図１９および図２０に示すように、両側の支持板部１０を広告板部１の裏面の取付け片１７に対して第１の折り目１３より対向する側に倒すことにより、扇型下部板１８が第２折り目１５で縦の支え板１４に対して真っ直ぐに展開されるとともに底板部８に対しては第３折り目１６を基点として転回して倒され、底板部が広告板部１に対して真っ直ぐとなり、かつ上部支え部２２が折り目２０で折り畳まれかつそれに連結されている上板５が折り目６で折り畳まれて広告板部１に沿うように倒され、かつしかる後、図２０に示すように、広告板部１の上部１ａは中央部１ｂの前面側に折り畳みかつ下部１ｃは中央部１ｂの裏面側に折り畳んでコンパクトにすることができる。
【００３３】
この発明は上記実施形態に限定されるものではなく、この発明の要旨を逸脱しない範囲で、種々の形態を実施しうるものである。前記実施例では、上板と底板間の両側又は中央に支持板部を設けた場合を示したが、これに限るものではなく、それ以上の複数箇所に設けることもできる。
【図面の簡単な説明】
【００３４】
【図１】同正面側の斜視図である。
【図２】同裏面側の斜視図である。
【図３】同背面図である。
【図４】同側面図である。
【図５】底板部を伸ばした状態の背面図である。
【図６】底板部を折り曲げた状態の断面図である。
【図７】上板部と支持板部の上部を示す拡大側面図である。
【図８】支持板部の上部と上板部を折り畳んだ状態の背面図である。
【図９】支持板部を折り畳み、広告板部を展開して示す正面図である。
【図１０】同背面図である。
【図１１】同側面図である。
【図１２】同広告体を折り畳んだ側面図である。
【図１３】この発明の自立可能な広告体の別の実施形態の正面側の斜視図である。
【図１４】同裏面側の斜視図である。
【図１５】同背面図である。
【図１６】同縦断面図である。
【図１７】底板部を折り曲げる状態を示す斜視図である。
【図１８】支持板部の上部を起立させる状態を示す斜視図である。
【図１９】支持板部を折り畳み広告板部を展開した状態の背面図である。
【図２０】同広告体を折り畳んだ側面図である。
【符号の説明】
【００３５】
１  広告板部
２  折り目
５  上板部
６  折り目 
７  貼着部
８  底板部
９  折り目
１０  支持板部
１１  貼着部
１２  貼着部
１３  第１の折り目
１４  支え板
１５  第２の折り目
１６  第３の折り目
１７  取付け片
１８  下部板
２０  第４の折り目
２１  第５の折り目
２２  上部支え部
２３  切り抜き孔
２４  折り目
【図１】
2005107016.tif 000003
【図２】
2005107016.tif 000004
【図３】
2005107016.tif 000005
【図４】
2005107016.tif 000006
【図５】
2005107016.tif 000007
【図６】
2005107016.tif 000008
【図７】
2005107016.tif 000009
【図８】
2005107016.tif 000010
【図９】
2005107016.tif 000011
【図１０】
2005107016.tif 000012
【図１１】
2005107016.tif 000013
【図１２】
2005107016.tif 000014
【図１３】
2005107016.tif 000015
【図１４】
2005107016.tif 000016
【図１５】
2005107016.tif 000017
【図１６】
2005107016.tif 000018
【図１７】
2005107016.tif 000019
【図１８】
2005107016.tif 000020
【図１９】
2005107016.tif 000021
【図２０】
2005107016.tif 000022